(57)【特許請求の範囲】
【請求項１】
ケーブルにおいて、
８の字巻きを補助するマーク（１２ａ、１２ｂ）を備え、
前記マークは、前記ケーブルの長さ方向に亙って所定の間隔をおいて繰り返し配置されると共に前記ケーブル（１１）を捩る方向を指示する互いに逆向きの二つの矢印を含む、ケーブル。
【請求項２】
ケーブルにおいて、
８の字巻きを補助するマーク（１３）を備え、
前記マークは、前記ケーブル（１１）の長さ方向に記されていて所定の周期をもって変化すると共に前記ケーブル（１１）を捩る方向を指示する波状のライン（１３）である、ケーブル。
【請求項３】
ケーブルにおいて、
８の字巻きを補助するマーク（１４）を備え、
前記マークは、前記ケーブルの長さ方向に亙って所定の間隔をおいて配置されていて前記８の字巻で束ねられる輪の順番の規則性に応じて定まる、前記ケーブル（１１）の輪を束ねる順番を表す複数の文字（１４）である、ケーブル。
【発明の詳細な説明】
【技術分野】
【０００１】
本発明は、ケーブルに関し、特に、巻取って束ねられるケーブルに関する。
【背景技術】
【０００２】
装置間を接続するケーブルについては、装置を使用する場所に応じて、ケーブルを巻取って束ねておくか、あるいは、ケーブルを伸ばしておく場合がある。しかし、巻取って束ねられたケーブルを伸ばすとき、ケーブルの巻取り時の捩れが原因でケーブルが絡まったり、捩れたまま引張ったりすることでケーブルが損傷する場合がある。
【０００３】
そのような問題を防ぐため、特許文献１に開示されているように、ケーブルを巻取る際にケーブルに捻れが発生しないようにウインチ装置が使用されている。
【０００４】
また、人がケーブルを巻取る際にケーブルに捩れを発生させない方法として、「８の字巻き」という巻き方も知られている。
【０００５】
「８の字巻き」とは、ケーブルを時計回りに捩ることによってケーブルの輪を作ることと、ケーブルを反時計回りに捩ることによってケーブルの輪を作ることとを交互に繰返し、輪を束ねていく巻き方である。この「８の字巻き」においては、ケーブルの輪を作るときに、直前に作った輪の捩れを打消す方向にケーブルを捩っている。そのため、巻取られたケーブルを伸ばすときにケーブルに捩れが発生しなくなる。これに対し、通常の巻き方は、ケーブルを同じ方向だけに捩ってケーブルの輪を束ねていく巻き方であるため、巻取ったケーブルを伸ばすとケーブルに捩れが発生する。
【先行技術文献】
【特許文献】
【０００６】
【特許文献１】特開２００７−０３１０８９号公報
【発明の概要】
【発明が解決しようとする課題】
【０００７】
上述したように従来技術においては、ケーブルに捩れが発生しないようにケーブルを巻取るには、専用のウインチ装置を使用する必要がある。その一方で、「８の字巻き」は、専用のウインチ装置を使用しないでも、巻取られたケーブルを解いて伸ばす際にケーブルに捩れが発生しない巻き方である。しかし、ユーザは「８の字巻き」を習得する必要がある。したがって、未習得のユーザにとっては、ケーブルを「８の字巻き」により巻取ることは容易ではない。
【０００８】
そこで本発明は、上述したような従来技術の課題に鑑み、特別な装置を使用しないでもケーブルに捩れが発生しない「８の字巻き」を、ユーザに容易に実施させることが可能なケーブルを提供することを目的とする。
【課題を解決するための手段】
【０００９】
本発明の第一態様によれば、８の字巻きを実施する手順を示すマークを有するケーブルが提供される。この第一態様により上述の課題が解決される。しかし、本発明は、第一態様に限られず、以下の第二態様ないし第四態様のいずれかのケーブルを提供することもできる。
【００１０】
本発明の第二態様によれば、８の字巻きを補助するマークを備え、マークは、ケーブルを捩る方向を指示する複数の矢印である、ケーブルが提供される。
【００１１】
本発明の第三態様によれば、８の字巻きを補助するマークを備え、マークは、ケーブルの長さ方向に延びる波状のラインである、ケーブルが提供される。
【００１２】
本発明の第四態様によれば、８の字巻きを補助するマークを備え、マークは、８の字巻きにおけるケーブルの輪を束ねる順番を表す複数の文字である、ケーブルが提供される。
【発明の効果】
【００１３】
本発明の第一態様によれば、ケーブルに対して８の字巻きを補助するマークを付けることにより、ユーザは容易に８の字巻きを実施することができる。
【００１４】
本発明の第二態様によれば、ケーブルを８の字巻きにより巻取る場合、ユーザは、ケーブルに記された矢印の方向に従ってケーブルを捩ることにより、容易に８の字巻きを実施することができる。つまり、ユーザが矢印の方向に従って、ケーブルをその中心軸に対して時計方向および反時計方向に交互に捩り、それにより作られる輪を束ねていくことによって、容易に８の字巻きを完成させることができる。
【００１５】
本発明の第三態様によれば、ケーブルを８の字巻きにより巻取る場合、ユーザは、ケーブルに記された波状のラインがユーザから見て同じ側に見えるようにケーブルを捩ることにより、容易に８の字巻きを実施することができる。つまり、ユーザが、波状のラインがユーザから見て同じ側に見えるようにケーブルを捩ることにより、ケーブルをその中心軸に対して時計方向および反時計方向に交互に捩ることとなる。それにより、上述の第二態様と同様に、ユーザは容易に８の字巻きを完成させることができる。
【００１６】
本発明の第四態様によれば、８の字巻きを行う際にケーブルをその中心軸に対して時計方向および反時計方向に交互に捩り、それにより作られた輪を束ねていく場合、ユーザは、文字が順番どおりに重なるようにケーブルの輪を束ねることにより、容易に８の字巻きを完成させることができる。
【００１７】
添付図面に示される本発明の典型的な実施形態の詳細な説明から、本発明のこれらの目的、特徴および利点ならびに他の目的、特徴および利点がさらに明確になるであろう。
【図面の簡単な説明】
【００１８】
【図１】第一実施形態のケーブルを示す図である。
【図２】図１に示されるケーブルを矢印の向きに従って捩り、それにより作られたケーブルの輪を束ねる様子を示した図である。
【図３Ａ】図１に示されるケーブルに対する「８の字巻き」の手順１を示す図である。
【図３Ｂ】図１に示されるケーブルに対する「８の字巻き」の手順２を示す図である。
【図３Ｃ】図１に示されるケーブルに対する「８の字巻き」の手順３を示す図である。
【図３Ｄ】図１に示されるケーブルに対する「８の字巻き」の手順４を示す図である。
【図３Ｅ】図１に示されるケーブルに対する「８の字巻き」の手順５を示す図である。
【図３Ｆ】図１に示されるケーブルに対する「８の字巻き」の手順６を示す図である。
【図３Ｇ】図１に示されるケーブルに対する「８の字巻き」の手順７を示す図である。
【図４Ａ】通常の巻き方により巻取られたケーブルを伸ばすときの様子を示した図である。
【図４Ｂ】「８の字巻き」により巻取られたケーブルを伸ばすときの様子を示した図である。
【図５】第二実施形態のケーブルを示す図である。
【図６】図５に示されるケーブルを、ユーザから見てラインが同じ側に見えるように捩り、それにより作られたケーブルの輪を束ねる様子を示した図である。
【図７】第三実施形態のケーブルを示す図である。
【図８】図７に示されるケーブルを、文字が順番どおりに重なるように捩りながら束ねることにより、ケーブルが「８の字巻き」に巻取られる様子を示した図である。
【発明を実施するための形態】
【００１９】
次に、本発明の実施形態について図面を参照して説明する。以下の図面において、同様の部材には同様の参照符号が付けられている。理解を容易にするために、これらの図面は縮尺を適宜変更している。また、以下では、ケーブルの表面に「８の字巻き」を補助するためのマークを例示して説明するが、本発明のケーブルは以下の実施形態に限定されるものではない。
【００２０】
（第一実施形態）
図１は第一実施形態のケーブルを示す図である。
背景技術の欄において説明したように、ケーブルを「８の字巻き」により巻取る場合、ユーザはケーブルを時計回りおよび反時計回りに交互に捻って輪を作っていくこととなる。そのため、第一実施形態においては、図１に示されるように、「８の字巻き」を実施する際にケーブル１１を捩る方向を指示する複数の矢印１２ａ、１２ｂが、ケーブル１１の表面、例えば導体を被覆する被覆部の表面に記されている。
【００２１】
さらに、図１に示されるように、隣接する２つの矢印１２ａ、１２ｂの方向は互いに逆向きである。そして、矢印１２ａおよび矢印１２ｂは、ケーブル１１の長さ方向にわたって交互に繰返し配置されている。さらに、複数の矢印１２ａ、１２ｂはケーブル１１の長さ方向に所定の間隔をおいて配置されている。
【００２２】
なお、各矢印１２ａ、１２ｂはケーブル１１の中心軸に対して直角な方向に描かれていることが好ましい。また、各矢印１２ａ、１２ｂは、図１に示されるようにケーブル１１の周方向の一部に描かれているだけでなく、ケーブル１１の周方向の全周にわたって描かれていてもよい。なお、矢印の間隔を変えることにより、巻取時に作るケーブル１１の輪の径寸法を変えることができる。
【００２３】
図２は、図１に示されるケーブル１１が矢印１２ａ、１２ｂの向きに従って捩られた状態を示している。ユーザは、図１に示されるケーブル１１の右端から左端にわたって各矢印１２ａ、１２ｂの方向に交互にケーブル１１を捩っていくと、図２に示されるようにケーブル１１を容易に「８の字巻き」に巻くことができる。
【００２４】
さらに、本実施形態のケーブル１１に対する「８の字巻き」の手順を説明する。図３Ａ〜図３Ｇは、図１に示されるケーブル１１に対する「８の字巻き」の手順１〜手順７をそれぞれ示した図である。
【００２５】
本実施形態のケーブル１１に対して「８の字巻き」を実施する場合、まず、図３Ａに示されるように、ユーザは、例えば左手によりケーブル１１の一端を持ち、右手によってケーブル１１を時計回り(矢印Ａの方向)に捻る。矢印Ａの方向は、ケーブル１１に記された矢印１２ａ（図１参照）に対応している。そのようにケーブル１１を捩ることにより、図３Ｂに示されるように、ケーブル１１によって一つ目の輪１１ａが作られる。そして、図３Ｃに示されるように、ユーザは左手によって一つ目の輪１１ａを保持する。
【００２６】
次に、図３Ｄに示されるように、ユーザは右手によってケーブル１１を反時計回り(矢印Ｂの方向)に捻る。矢印Ｂの方向は、ケーブル１１に記された矢印１２ｂ（図１参照）に対応している。そのようにケーブル１１を捩ることにより、図３Ｅから図３Ｆに示されるように、ケーブル１１によって二つ目の輪１１ｂが作られる。そして、図３Ｇに示されるように、ユーザは二つの目の輪１１ｂを一つ目の輪１１ａに重ねるように保持する。
【００２７】
以上のように、ケーブル１１を捩る方向を指示する矢印１２ａ、１２ｂがケーブル１１に記されていることにより、ユーザは「８の字巻き」を容易に実施することができる。
【００２８】
なお、図４Ａは通常の巻き方により巻取られたケーブル１１を伸ばすときの様子を示した図であり、図４Ｂは「８の字巻き」により巻取られたケーブル１１を伸ばすときの様子を示した図である。図４Ａに示されるように、通常の巻き方の場合にケーブル１１を伸ばすと、輪の数だけケーブル１１に捩れが発生する。一方、図４Ｂに示されるように、「８の字巻き」の場合には、一つ目の輪と二つ目の輪とを解いてケーブル１１を伸ばすときに、それぞれの輪が作られたときの捻りが互いに打消しあう。その結果、ケーブル１１に捩れが発生しなくなる。
【００２９】
（第二実施形態）
図５は第二実施形態のケーブルを示す図である。
第二実施形態においては、図５に示されるように、ケーブル１１の長さ方向に延びる波状のライン１３が、ケーブル１１の表面、例えば導体を被覆する被覆部の表面に記されている。なお、波状のライン１３は、所定の周期をもって変化する波線であり、またケーブル１１が捩れていない状態において波状になっているラインでもある。
【００３０】
図６は、図５に示されるケーブル１１を、ユーザから見てライン１３が同じ側に見えるように捩り、それにより作られたケーブル１１の輪を束ねる様子を示している。ユーザは、図５に示されるケーブル１１をユーザから見てライン１３が同じ側に見えるように捩っていくと、図６に示されるようにケーブル１１を容易に「８の字巻き」に巻取ることができる。
【００３１】
つまり、既に述べたとおり、ケーブル１１を「８の字巻き」により巻取る場合、ユーザはケーブル１１を時計回りおよび反時計回りに交互に捻って輪を作っていくこととなる（図３Ａ〜図３Ｇ参照）。そこで、本実施形態においては、上述のようにケーブル１１の捩る方向を交互に変更する操作を、ユーザから見てライン１３が同じ側に見えるようにケーブル１１を捩りつつ実施している。以上のように、第二実施形態のケーブル１１によれば、「８の字巻き」を補助するマークとしてライン１３をユーザに使用させることができる。
【００３２】
なお、本実施形態においては、波状のライン１３が変化する周期を変えることにより、巻取時に作るケーブル１１の輪の径寸法を変えることができる。
【００３３】
また、波状のライン１３の付け方としては、例えば次のような方法が考えられる。すなわち、例えば実際にケーブル１１を「８の字巻き」により巻取った後、この巻取られた状態においてケーブル１１の輪の外周側を向いた面に沿ってライン１３を付ける。あるいは、「８の字巻き」により巻取られた状態においてケーブル１１の輪の外周側を向く面を想定し、そのような面に沿ってライン１３を付ける。そして、このようなライン１３がケーブル１１の外側に見えるようにケーブル１１を捩りながら巻くと、「８の字巻き」が容易に再現されることになる。
【００３４】
（第三実施形態）
図７は第三実施形態のケーブルを示す図である。
上述した第一実施形態および第二実施形態においては、ケーブル１１をその中心軸に対して時計方向および反時計方向に交互に捩り、それにより作られる輪を束ねていく方法がとられている（図３Ａ〜図３Ｇ参照）。しかし、「８の字巻き」で束ねられた輪の順番には規則性が存在するため、ケーブルの輪を束ねる順番をあらかじめ把握していれば、「8の字巻き」でケーブルを束ねることが容易になる。
【００３５】
そこで、第三実施形態においては、上述のようにケーブル１１をその中心軸に対して時計方向および反時計方向に交互に捩り、それにより作られた輪を束ねるユーザの操作を補助するため、図７に示されるように、輪を束ねる順番を表す文字１４がケーブル１１の表面、例えば被覆部の表面に記されている。そのため、図７に示されるように、複数の文字１４はすべて異なっていて、ケーブル１１の長さ方向に所定の間隔をおいて配置されている。そして、複数の文字１４は、ユーザがそれら文字の順番を認識できるようにケーブルの長さ方向に配置されている。なお、文字の間隔を変えることにより、巻取時に作るケーブル１１の輪の径寸法を変えることができる。
【００３６】
なお、本実施形態においては、図７に示されるようにアラビア数字が文字１４として使用されている。しかし、文字１４はアラビア数字に限られず、例えばローマ数字や漢数字などのあらゆる種類の数字が使用されていてもよい。あるいは、そのような数字の他に、アルファベットや５０音などが文字１４として使用されていてもよい。したがって、特許請求の範囲でいう「文字」には数字も含まれる。また、順番を認識できるものならば、そのような文字１４の代わりに、図形や記号が使用されていてもよい。
【００３７】
さらに、本実施形態のケーブル１１に対する「８の字巻き」の手順を説明する。
図８は、図７に示されるケーブル１１を、文字１４が順番どおりに重なるように束ねることにより、ケーブル１１が「８の字巻き」に巻取られる様子を示している。
【００３８】
図８に示されるようにケーブル１１をその中心軸に対して時計方向または反時計方向に交互に捩ることにより作られた輪を束ねていく場合、ユーザは、文字１４（番号１〜番号５）が順番どおりに重なるようにケーブル１１の輪を束ねればよい。それにより、「８の字巻き」が完了する。言い換えれば、ユーザはケーブルの輪を束ねていくとき、文字１４の順番に従うことによって「８の字巻き」を容易に完成させることができる。
【００３９】
なお、上述したような第一実施形態、第二実施形態または第三実施形態などに示されているケーブル１１は、通信装置、音響装置、または電源装置などを電気的に接続する手段として適用することができる。
また、以上では典型的な実施形態を示したが、本発明は上述の実施形態に限定されず、本発明の思想を逸脱しない範囲で上述の実施形態を様々な形、構造や材料などに変更可能である。
【符号の説明】
【００４０】
１１    ケーブル
１１ａ、１１ｂ    輪
１２ａ、１２ｂ    矢印
１３    波状のライン
１４    文字
【図１】
0006523061.tif 000002
【図２】
0006523061.tif 000003
【図３Ａ】
0006523061.tif 000004
【図３Ｂ】
0006523061.tif 000005
【図３Ｃ】
0006523061.tif 000006
【図３Ｄ】
0006523061.tif 000007
【図３Ｅ】
0006523061.tif 000008
【図３Ｆ】
0006523061.tif 000009
【図３Ｇ】
0006523061.tif 000010
【図４Ａ】
0006523061.tif 000011
【図４Ｂ】
0006523061.tif 000012
【図５】
0006523061.tif 000013
【図６】
0006523061.tif 000014
【図７】
0006523061.tif 000015
【図８】
0006523061.tif 000016